(57)【要約】【課題】穀粒乾燥機等で、電源接続時に停電による停止か否かを判断することによって停電復帰後の適切な処理を行わせようとする。【解決手段】張込み穀粒を上部の貯留室から穀粒流下通路を経て下部の集穀室に至り昇降機によって上記貯留室に戻すよう循環移送すべく構成し、本体内に形成する熱風室には遠赤外線放射体を装備しこの遠赤外線放射体の一端をバーナに接続すると共に、上記穀粒流下通路には吸引ファンの作用によって通風可能に構成する穀粒乾燥機において、乾燥機への通電時に外気温度センサ及び遠赤外線放射体を装着する熱風室に配設する熱風温度センサの各温度検出値を入力すると共に、これらの検出温度差が所定値以上であるときに吸引ファンを駆動する制御部を構成する。【選択図】        図８
2006038407.tif 000002
【特許請求の範囲】
【請求項１】
張込み穀粒を上部の貯留室から穀粒流下通路を経て下部の集穀室に至り昇降機によって上記貯留室に戻すよう循環移送すべく構成し、本体内に形成する熱風室には遠赤外線放射体を装備しこの遠赤外線放射体の一端をバーナに接続すると共に、上記穀粒流下通路には吸引ファンの作用によって通風可能に構成する穀粒乾燥機において、乾燥機への通電時に外気温度センサ及び遠赤外線放射体を装着する熱風室に配設する熱風温度センサの各温度検出値を入力すると共に、これらの検出温度差が所定値以上であるときに吸引ファンを駆動する制御部を構成する穀粒乾燥機。
【請求項２】
電源接続時外気温度センサの検出値と熱風温度センサとの差が所定値以下であるときには通風運転に入らない構成とした請求項１に記載の穀粒乾燥機。
請求項３に記載の発明は、張込み穀粒を上部の貯留室から穀粒流下通路を経て下部の集穀室に至り昇降機によって上記貯留室に戻すよう循環移送すべく構成し、本体内に形成する熱風室には遠赤外線放射体を装備しこの遠赤外線放射体の一端をバーナに接続すると共に、上記穀粒流下通路には送風ファンの作用によって通風可能に構成する穀粒乾燥機において、循環穀粒の水分値を検出する穀粒水分センサを設け、該水分センサの検出値を不揮発メモリに記憶する構成とする穀粒乾燥機。
【発明の詳細な説明】
【技術分野】
【０００１】
この発明は、穀粒乾燥機に関し、特に遠赤外線放射体を備えた乾燥機において停電復旧時の処理に関する。
【背景技術】
【０００２】
穀粒乾燥機において、遠赤外線放射体を装備する形態では照射される遠赤外線を穀粒の内部に作用させて乾燥を促進し乾燥速度を増しながらも良食味を維持することができる効果がある。ところで遠赤外線放射体は乾燥中高温を維持するものであるから、何らかの原因で乾燥機内穀粒の移動が停止してしまうと遠赤外線照射を継続して受けるため、穀粒の品質を損なう。このため、停電その他の何らかの原因で電源が断たれて穀物の循環流動が止まると、穀物取出槽内に滞留した穀物は停滞したままで遠赤外線放射体から遠赤外線を照射され続けるので、その穀物は過乾燥状態に陥ったり焼損することがあるとし、穀粒の流下する傾斜板に開閉板を構成し穀粒の搬送が途絶えるとこれを開いて回収する手段を講じたものがある（特許文献１）。
【特許文献１】特開2003-176984号公報
【発明の開示】
【発明が解決しようとする課題】
【０００３】
ところが上記特許文献１に示す構成は、遠赤外線照射の直接的な影響から回避させる点で優れるが、停電から復帰したときの処理について配慮がなく、むしろ運転の継続は不可能である。停電により乾燥中断した場合にはできるだけ早く過乾燥の状態から脱する一方で、短時間で停電から復帰された場合には乾燥の継続を行う必要がある。
【０００４】
本発明は、電源接続時に停電による停止か否かを判断することによって停電復帰後の適切な処理を行わせようとする。
【課題を解決するための手段】
【０００５】
このため、この発明は次のような技術的手段を講じた。
請求項１に記載の発明は、張込み穀粒を上部の貯留室から穀粒流下通路を経て下部の集穀室に至り昇降機によって上記貯留室に戻すよう循環移送すべく構成し、本体内に形成する熱風室には遠赤外線放射体を装備しこの遠赤外線放射体の一端をバーナに接続すると共に、上記穀粒流下通路には送風ファンの作用によって通風可能に構成する穀粒乾燥機において、乾燥機への通電時に外気温度センサ及び遠赤外線放射体を装着する熱風室に配設する熱風温度センサの各温度検出値を入力すると共に、これらの検出温度差が所定値以上であるときに送風ファンを駆動する制御部を構成する。
【０００６】
このように構成すると、電源接続時における外気温度と熱風温度との差に基づいて停電による運転中断と判定でき、この判定結果に基づいて送風ファンの運転による通風運転に自動的に入ることができる。
【０００７】
請求項２に記載の発明は、請求項１の構成において、電源接続時外気温度センサの検出値と熱風温度センサとの差が所定値以下であるときには通風運転に入らない構成とした。検出温度差が所定値以上であるときは、停電の判定とするが、その時間が長時間に亘って遠赤外線放射体の温度が低下している場合には自動通風運転に入らず、オペレータの判断に委ねられる。
【０００８】
請求項３に記載の発明は、張込み穀粒を上部の貯留室から穀粒流下通路を経て下部の集穀室に至り昇降機によって上記貯留室に戻すよう循環移送すべく構成し、本体内に形成する熱風室には遠赤外線放射体を装備しこの遠赤外線放射体の一端をバーナに接続すると共に、上記穀粒流下通路には送風ファンの作用によって通風可能に構成する穀粒乾燥機において、循環穀粒の水分値を検出する穀粒水分計を設け、該水分計の検出値を不揮発メモリに記憶する構成とするものである。電源接続時にはこの水分値を呼び出すことにより、当該水分値が所定値以上であるときには停電による乾燥作業中断と判定し、送風ファンを駆動して通風運転に入ることとなる。
【発明の効果】
【０００９】
請求項１に記載の発明は、電源接続時における外気温度と熱風温度との差に基づいて停電による運転中断と判定でき、この判定結果に基づいて送風ファンの運転による通風運転に自動的に入ることができるから、停電によって停止され過熱状態となっている穀粒の特に遠赤外線放射体に近い穀粒が通風によって冷却され不測の損失を免れる。
【００１０】
請求項２に記載の発明は、検出温度差が所定値以上であるときは、停電の判定とするが、その時間が長時間に亘って遠赤外線放射体の温度が低下している場合には自動通風運転に入らないとするもので、遠赤外線放射体の温度が急速に低下し、あるいは元々低い状態であったため、通風の必要がないと判断し、動力の無駄な損失を防止することができる。
【００１１】
請求項３に記載の発明は、電源接続時には不揮発性メモリの水分値を呼び出すことにより、当該水分値が所定値以上であるときには停電による乾燥作業中断と判定し、送風ファンを駆動して通風運転に自動的に入ることができるから、停電によって停止され過熱状態となっている穀粒の特に遠赤外線放射体に近い穀粒が通風によって冷却され不測の損失を免れる。
【発明を実施するための最良の形態】
【００１２】
以下、図面に基づきこの発明の一実施例を説明する。
まず、穀物乾燥機の全体構成について説明する。１は穀物乾燥機の機枠で、内部に貯留タンク２、乾燥室３、集穀室４の順に積み重ねられている。乾燥室３内には、通気性網体５ａ，５ａを左右に対向させて傾斜状の穀物流下通路５，５を形成し、左右一対の穀物流下通路５，５を正面視Ｖ字型に形成している。各穀物流下通路５，５の上位側は更にＶ字型を形成するように左右の穀物流下通路５，５の内側を断面菱形の空間部とし、この空間部を熱風室６に形成している。なお、菱形断面の空間形成体のうち下半部は通気網体により構成し、Ｖ字型の上半部は非通気性の板材により構成している。
【００１３】
穀物流下通路５，５下端の左右合流部下方には繰出バルブ７を設けている。この繰出バルブ７は断面円形の筒体に構成されていて、正回転及び逆回転に伴って外周の一部に形成した導入口部から穀物を受入れて、正逆回転に従って下方の集穀室４に落下させる構成である。
【００１４】
乾燥室３内側の菱型空間部に形成した熱風室６内には、多角形の筒状に構成されていて乾燥室３正面側壁から後面側壁に亘る長さに形成された遠赤外線放射体１０を配置し、機壁前面及び後面に夫々着脱自在に固着している。この遠赤外線放射体１０の断面形状は、前記菱型空間部の断面形状に相似して対応するように上部の逆Ｖ字形状と下部のＶ字形状とを短い垂直部で連結する略６角形状に構成されていて、上部側と下部側とにはスリット状の開口１１，１２を形成している。なお、上部側開口１１は、機体の前側部に所定範囲にわたって形成され、下部側開口１２は前後にわたって形成されている。
【００１５】
機体の正面側にはバーナ風胴１４内に設けたバーナ１３を備える熱風室６に連通している。また機体の背面側には、吸引型の送風ファン１５を設け、この送風ファン１５の起風によって、菱形空間である熱風室６から穀物流下通路５，５を経て、穀物流下通路５，５の外側に形成される排風路１６，１６に向けて通風するように構成している。
【００１６】
集穀室４にはその中央に移送螺旋を備えた下部搬送装置２５を設け、繰出バルブ７から繰り出した穀粒をこの下部搬送装置２５で受けて例えば機体の正面側に移送する。機体の正面側には昇降機１８を設け、内部にバケットを備え、下部搬送装置２５からの穀粒を掬い上げて上部天井に設ける上部搬送装置３１の始端部に揚穀するように構成している。移送螺旋を備えた上部搬送装置３１の終端側の天井中央部には垂下軸３２を設け、この垂下軸３２に回転拡散板３３を取り付けている。
前記遠赤外線放射体１０を構成する前記左・右半部の前・後壁への取り付けは、左・右半部の前側上部をまたぐ形状の係止具２６により前壁にボルト・ナットで取り付け、左・右半部の前側下部及び後側上・下部を独立的に設ける係止具２７，２７により前・後壁に夫々ボルト・ナットで着脱自在に固着している。
【００１７】
前記遠赤外線放射体１０の入口側には、乾燥機正面に配置するバーナ１３からの熱風を受け入れる構成である。即ち、バーナ１３は気化型バーナとされ、正面向きの燃焼盤１３ａの中央部に横軸周りの回転気化筒１３ｂを備え、気化筒１３ｂの内側に設ける燃料ノズル（図示せず）からの噴出燃料は燃焼火炎を受けて加熱する気化筒１３ｂによって気化され燃焼盤１３ａから噴出しながら燃焼を継続する構成である。
【００１８】
気化型バーナ１３は次のように装着される。基板２３に対して断面矩形の支持筒１３ｃをもって送風筒１３ｄが支持されている。この基板２３には該支持筒１３ｃの左右に位置してイグナイタ１３ｅ用トランス１３ｆ及び上記燃料ノズルを接続する燃料ポンプ１３ｇを装着し、該支持筒１３ｃ前側には外気導入口１３ｈ及び前面を導入口１３ｈに形成した案内ガイド１３ｉを設けている。１３ｊは配線部、１３ｋは燃料供給管である。
【００１９】
上記基板２３の裏面側には上記外気導入口１３ｈに接続しかつ上記支持筒１３ｃに通じる送風ダクト１３ｌを設け、風調ファン１３ｍの回転により、上記導入口１３ｈからの外気を送風筒１３ｄ内に供給すべく構成する。１３ｎは風調ファンモータである。
【００２０】
図５におけるように、バーナ風胴１４上面にはコントロールボックス４０ａを着脱ボルト等によって装着している。また、このコントロールボックス４０ａは上面及び左右面、さらには後ろの空間部を覆うようにコントローラカバー４０ｂを着脱可能に設ける。また、風胴１４正面側には適宜に通風孔３６ａを形成した正面カバー３６を着脱自在に設けている。なお、この正面カバー３６はコントロールボックス４０ａの操作盤４１面を開口した枠型に形成されていて一枚のカバー板部材にて賄われている。
【００２１】
上記バーナ風胴１４内のバーナ１３は遠赤外線放射体１０の入口部と連通している。即ち、機体前側壁３ａの外側に位置する断面四角形状の上記バーナ風胴１４を装着し、該前側壁３ａの内側には遠赤外線放射体１０の一端を装着する一方、案内ダクト２８を装着する。該案内ダクト２８は、前側壁３ａに形成する導入口３ｂに略同形の断面略四角形状の短筒体に形成され、遠赤外線放射体１０の始端側部分に外装状態で装着されるものである。従って、バーナによる燃焼熱気が主として遠赤外線放射体１０前面から内部に入り込むのに対し、バーナ風胴１４に導入される外気は、遠赤外線放射体１０の外周部を案内ダクト２８内周に沿って吹き抜ける構成である。
【００２２】
上記バーナ風胴１４に導入される外気は、バーナ１３に気化型バーナを構成する場合の二次空気供給の役割を果たしながら上記のように熱風室６に入って熱風温度の上昇を抑制する機能を備えるものである。
【００２３】
ところで、バーナ燃焼熱気は遠赤外線放射体１０に入るとそのまま後方に案内されて却って入口側上部付近の温度が低い傾向にあり、これを是正するため、上記のようにスリット状開口１１を形成するものであり、従って、この部分への外気導入は更に温度を低下させるため、この外気導入を遮断すべく遮蔽板２９，２９を、案内ダクト２８の後部側において遠赤外線放射体１０の外周部に作用できないように設けている。
【００２４】
このように構成すると、遠赤外線放射体１０の前側部の開口１１による温度上昇、及び案内ダクト２８による外気導入の抑制とが相俟って、バーナ１３に近い熱風室６入口上部の温度上昇を促進し、熱風室６全体の温度分布が適正範囲となるよう均等化することができる。
【００２５】
また、前記のように、バーナ風胴１４の前面にはマイクロコンピュータ（制御部）４０を内蔵した乾燥機用コントロールボックス４０ａを設けている（図５）。バーナ風胴１４の正面には該コントロールボックス４０ａの操作盤４１を備えている。この操作盤４１には張込スイッチ４２、通風スイッチ４３、乾燥スイッチ４４、排出スイッチ４５、停止スイッチ４６を備え、これらのスイッチ群により各種の運転モードに切り替えると共に運転停止を司る。また、緊急スイッチ４７を設け、この緊急スイッチ４７を操作すると、機体運転部の全体を略同時に停止することができる。
【００２６】
これらのスイッチ４２〜４７の他に、張込量を設定する張込量設定スイッチ４８、最終仕上げ水分値を設定する水分設定スイッチ４９、及び、乾燥設定スイッチ５０（籾乾燥の場合には乾燥速度を速い・普通・遅いに設定し、また、他の穀粒乾燥の場合には、例えば小麦・大麦等の品種に関連付けて予め設定した乾燥速度に設定する）を備えている。更に、乾燥仕上がりを水分値によらないで処理時間により乾燥する等のためのタイマ増・減スイッチ５１，５２を備えている。
【００２７】
水分センサ５３は一粒式を採用し、所定時間毎に所定粒数単位で水分計出力を測定し、所定回数の検出結果を平均処理して平均水分値を算出し、前記操作盤４１の表示部５４に検出熱風温度等と入れ代わりながらこれらを表示する構成である。上記制御部４０は併せて一粒水分値から水分のバラツキを判定したり、未熟粒の多少を判定できる構成とし、これらを３個のＬＥＤ５５，５６により表示している。
【００２８】
制御部４０には、操作盤４１のスイッチから運転モード情報等を入力するほか、アナログ及びデジタルの各種センサ、例えば熱風温度センサ５７や外気温度センサ５８の検出情報、循環系モータの負荷電流検出情報を入力すべく構成される。そして制御部４０の出力側には、送風ファン１５と、昇降機１８，上・下部搬送装置２５，３１からなる穀粒の循環を司る循環系とを共通の送風・循環系モータ５９の駆動出力、繰出バルブモータ６０出力、前記気化型バーナ１３の燃料供給量を制御したりバーナファンの回転数を制御するなどの燃焼系出力、上記内容の表示出力がある。
【００２９】
制御部４０には次の機能を併せて備えるものである。すなわち、前記水分センサ５３からの測定データによって算出される水分値を順次入力し、制御部４０に接続する不揮発メモリ６１に格納する構成とし（Ｓ１〜Ｓ４）、新たな水分値を入力する毎に書き換えるものとしている（Ｓ５）。このように書き換えられる該水分値は乾燥終了信号、又は穀粒排出スイッチ操作でクリアされる構成とし、乾燥作業が正常に終了したときにはクリアによって次回乾燥の際には残さない構成である。そこで電源接続毎に不揮発メモリ６１の水分値データを呼び出す構成とし（Ｓ６）、該メモリ６１にデータが有るときは（Ｓ６）、停電による乾燥中断と判断するよう構成し、自動通風運転に入る。該自動通風運転は、前記送風ファン１５を回転し、上・下搬送装置２５，３１及び昇降機１８の穀粒循環系モータ５９を出力オンするとともに（Ｓ８）、繰出バルブモータ６０を駆動するもので（Ｓ９）、図例では送風ファン１５モータと穀粒循環系の駆動モータとを共通とすると共に、正逆転を伴う繰出バルブモータを独立としている。上記のような通風運転を所定時間継続したのち、バーナ１３を点火して乾燥運転を再開するものである（図８）。
【００３０】
次に、前記構成の作用について説明する。
張込ホッパ（図示省略）に投入された穀粒は、張込スイッチ４２をＯＮすることにより駆動される昇降機１７、上部搬送装置３２等を経由して貯溜タンク２に張り込まれる。穀粒の張込が完了すると、乾燥作業に移行するが、前段階で水分設定スイッチ４９及び乾燥設定スイッチ５０により穀粒種類の設定や希望の乾燥仕上げ水分値を設定する。
【００３１】
前記の設定操作の終了後に乾燥スイッチ４４をＯＮすると、昇降機１７、上・下搬送装置２５，３１、繰出バルブ７等の駆動が開始されると共に、バーナ１３も駆動されて熱風が乾燥室３の菱形空間である熱風室６の入口部に向けて供給される。
【００３２】
ここで、バーナの火炎は送風ファン１５の回転により熱風化され、適宜に導入される外気と混合されながら遠赤外線放射体１０内に流入し、遠赤外線放射体１０を加熱しつつ上部及び下部に形成されているスリット状開口１１、１２を経て遠赤外線放射体１０の外に流出する。その際に遠赤外線放射体１０の加熱により遠赤外線放射体１０の表面から遠赤外線が放射されて、この熱放射及び前記熱風は共に流下通路５，５を流下中の穀粒に作用し、遠赤外線による輻射熱と熱風により穀粒内部での水分移行が促進され、熱風による水分除去作用に伴って効率的な乾燥作用が行なわれる。
【００３３】
なお、バーナ風胴１４に入り込んでバーナ１３の外周を流通する導入外気は、バーナ燃焼用二次空気供給の機能を行った後、前側壁３ａから熱風室６に入るが熱風ダクト２８に沿って遠赤外線放射体１０の外周を流通し、熱風室６入口部の温度上昇を抑制する。なお、遮蔽板２９，２９を設けることによって当該遮蔽板２９，２９部で外気流通は遮断され、温度低下を抑制している。
【００３４】
穀物流下通路５，５の前後に亘って遠赤外線の放射と熱風による乾燥作用がなされ、穀物流下通路５，５を通過した熱風は排風室１６，１６を経て排風される。乾燥室３で乾燥された穀粒は、集穀室４の下部搬送装置２５、昇降機１７、上部移送螺旋３１を経由して再び貯溜タンク２に戻されて調質作用を受ける。このような行程を繰り返し、所定の水分値に達すると乾燥が終了するものである。
【００３５】
上記の乾燥作業中、所定時間間隔の水分センサ５３による水分測定毎の算出水分値が不揮発メモリ６１に書込み格納される。停電となって乾燥機の運転が中断し、その後復帰し通電状態となった瞬間に不揮発メモリ６１を呼び出し何らかの水分値があるか否かが確認され、該データがあるときは、ブザー警告しながら送風・循環系モータ５９を駆動し、併せて繰出バルブモータ６０を駆動出力する。これによって乾燥機は所謂通風運転状態になり、内部に篭った熱気を直ちに排気しながら穀粒に対しては外気通風による冷却を行い得て、穀粒加熱を防止できる。また、所定時間の通風運転を継続した後、元の乾燥運転に移行する。
【００３６】
図９は停電による停止であるか否かの判定を行う停電判定手段を温度センサに拠らせている。すなわち、バーナ風胴１４の上隅部に設けた外気温度センサ５７、及び熱風室６内部に設けられ、遠赤外線放射体の熱影響の範囲に設けた熱風温度センサ５８との各検出値の比較によって行う。つまり、電源接続時、熱風温度と外気温度との温度差が一定値（Ｔ１）以上のときは停電時による作業中断と判断してブザー警報する（Ｓ１０１〜Ｓ１０５）。これによって前記と同様に送風・循環系モータ５９へ駆動出力しかつ繰出バルブモータ６０を起動出力することで自動的に通風運転に入ることができ（Ｓ１０６，Ｓ０７）、更には所定の通風運転後通常の乾燥運転に入る。なお、外気温度センサ５８と熱風温度センサ５７との温度差が余りなく所定温度Ｔ２（＜Ｔ１）以下のときは、遠赤外線放射体１０の温度が低下状態にあることから、敢えて通風運転に入らずオペレータの判断に委ねるもので、警報を発する構成としている。
【００３７】
図１０は穀物流れ検出について示すものである。繰出バルブ７を間欠的に回転させて穀物を循環させる構成であって、繰出バルブモータ６０をオンした後、循環系モータ５９の負荷変動、即ち負荷電流値の増加側変動によって穀粒の流れを検出する構成としている。従来水分センサを利用した穀粒流れの検知方法が知られるが（特開2003-172581号公報）、水分センサの検知は水分センサ内へ粒単位で進入する穀粒を検出できるものであるから、精度が高い反面、繰出バルブ７からの繰出量が少なくなっても同様に穀粒流れ有りとして通常と変わりない判断となる。しかしながら、搬送量として所定量以上の穀粒量がなければ異常状態が予想され、これを検出しようとする。図１０に示すように、送風・循環系モータ５９は少なくとも昇降機１８、下部搬送装置２５の駆動負荷電流値Ｉ１を検出できる電流検出手段６２を構成している。そこで、乾燥中、繰出バルブ７の循環周期、つまり間欠運転（正逆回転も含む）の周期ｔを設定しておき、穀粒循環各部モータ５９，６０、及びバーナ１３を駆動して乾燥運転に入る（Ｓ２０１〜Ｓ２０５）。途中送風・循環系モータ５９の負荷電流値を検出手段６２によって検出し、電流の増加の有無を判定し、増加のない時は籾流れ不良と判定され、異常表示される（Ｓ２０６〜Ｓ２１２）。なお、上例では送風・循環系モータ５９としたが、少なくとも循環系モータの電流検出ができればよい。
【００３８】
また、図１１は循環系の停止制御に係るフローチャートで、繰出バルブ７の間欠運転により穀物の循環を行うとき、乾燥停止時に繰出バルブモータ６０をオンした後の送風・循環系モータ５９の負荷電流値Ｉ２を検出し、該電流値Ｉ２が増加してから一定時間経過して送風・循環系モータ５９を停止すべく構成したものである。
【００３９】
従来、乾燥運転終了時、乾燥粒の乾燥程度を確認するため昇降機１８のバケットに穀粒を残す停止処理を行っている。すなわち水分センサからの停止信号出力時点から起算して所定時間、繰出バルブモータ６０を回転し（間欠運転の停止中のときは直ちに駆動する）、該繰出バルブモータ６０が停止してから一定時間経過後循環系モータ５９を停止することでバケットに乾燥穀粒を残すこととしていた。しかしながらこの構成では時間管理で行うため、穀物の性状や電源周波数等の影響でバケット上の穀粒量が安定しないこととなっていた。
【００４０】
そこで、図１１におけるように、繰出バルブモータ６０出力オフ後、循環系モータ５９の負荷電流値Ｉ２を読み込み、電流増加したとの判定結果を受けて一定時間後に循環系モータ５９を停止するように構成している。従って、従来の上記欠点を解消することができる。
【００４１】
前記バーナ１３は、燃料ポンプ１３ｇからの燃料を図外ノズルから噴出して回転気化筒１３ｂの内側壁面を伝って燃焼盤１３ａに至り燃焼する。なお回転気化筒１３ｂは火炎の輻射熱で加熱され灯油燃料の気化を促進する。燃焼に必要な一次空気（燃焼用空気）は導入口１３ｈから吸引され送風筒１３ｄ内部に供給されるが、燃焼用空気量は風調ファン１３ｍを連動する風調ファンモータ１３ｎの回転に制御される。即ち必要な燃料供給量ｙの入力を受けると燃料ポンプ１３ｇの駆動周波数ｆを指定出力し、併せて風調ファンモータ１３ｎの回転数ｎを制御出力する構成とされる。図１２はこのような気化バーナ１３に関する改良を示している。すなわち、バーナ１３停止信号が出力されると、燃料ポンプ１３ｇが直ちに停止され、風調ファン１３ｍはしばらく回転継続してバーナ１３内部を掃気する構成をとっている。このため従来は上記停止信号出力を受けると風調ファン１３ｍは最大回転数で所定時間継続回転させる構成とし掃気性の向上をはかっていた。
【００４２】
ところが、燃料供給ノズル（図示せず）先端には燃料が付着して残り、上記掃気風を受けて燃焼盤１３ａ付近に達し赤火燃焼状態を呈する場合がある。このように赤火になると、燃焼部にカーボンがたまり燃焼不良や点火性低下の原因となり易い。そこで図１２におけるように、バーナ停止制御における風調ファン１３ｍ回転を徐々に上昇させる構成とする（Ｓ４０５〜Ｓ４０７）。図１２のフローチャートに示すように、風調ファン１３ｍ回転数を段階的に高い回転にすることで、バーナ１３停止時に燃料の残り滴は燃料供給ノズル終端部から燃焼部へ一気に送り出されることがなくなり上記従来の欠点を解消し得る。
【００４３】
図１３は乾燥機７６に必要な電力を機械に付随した燃料電池７７で供給しうる構成としたものである。即ち、燃料電池７７は、都市ガスの改質処理に伴う水素と空気の導入に伴う酸素との供給を受け燃料電池スタック７８により融合させて発電する。この発電による電流をインバータ７９で周波数調整したのち穀粒乾燥機７６に供給され各部起動等に供されることとなる。
【００４４】
一方、燃料電池スタック７８で発生する排熱は、乾燥に必要な熱源として利用すべく送風装置８６によって穀粒乾燥機７６に供給できる構成としている。さらに、インバータ７９から穀粒乾燥機７６への供給ライン８２を分岐して、商用電力から各家庭用屋内配線に至る途中の配電盤８３に供給ライン８４を接続して、穀粒乾燥機７６の不使用時は家庭用電源として使用しうる構成である。
【００４５】
また、燃料電池の出力側には蓄電部８５を構成し、制御装置等への供給を行う。即ち、穀粒乾燥機等の乾燥機の運転に必要な電力を、機械に付随した燃料電池７７で供給する構成で、燃料電池スタック７８の後に一定の電気を蓄える蓄電部８５を設け、発電が停止したときや乾燥機７６の運転開始時の電力を供給可能な構成とすることで、燃料電池７７の発電が停止したときでも継続して運転を行うことができる。更に乾燥機７６の運転と燃料電池７７の運転を連動して行うとき、燃料電池７７の出力が定格に達するまでは補助電源として使用することができる。この構成は乾燥機のほか、電源を必要とする各種機械に応用できる。
【００４６】
図１４は水素を発生させる原燃料として灯油を使用するものである。図１３の都市ガスを使用する構成では配管等を設ける必要があり、使用場所が制限される欠点を有する。また一般的な商用電源においては、周波数によりモータの回転数等に変動を生じて乾燥機の構成又はソフト構成による対応が必要となって、大幅なコストアップを余儀なくされた。さらに、海外各国においては電源電圧、電源周波数が相違して輸出機種毎の変更を要する。
【００４７】
そこで、乾燥機７６の運転に必要な電力を、機械に付随した燃料電池７７で供給する構成で、燃料電池スタック７８に供給する水素を発生させる燃料として灯油を使用可能とする構成としている。これによって必要なときに必要な場所で発電しうるため、上記した欠点を解消する。
【００４８】
また、上記のように灯油を使用する際、燃料残量を検出する燃料検出装置８７を設け、制御装置８８に接続する。制御装置８８は、燃料残量を入力すると発電時間を演算し発電時間を表示出力する。オペレータは該表示出力に基づいて発電時間を確認でき、燃料を補給したり、発電停止による乾燥機運転の停止を防ぐことができる。上記において、電気を供給できる時間を表示することに換えて、乾燥機側において運転に必要な時間を算出して、発電可能時間と比較することで燃料補給の要否を判断し表示させることも可能である。
【図面の簡単な説明】
【００４９】
【図１】全体の切断側面図。
【図２】全体の一部切断した正面図。
【図３】遠赤外線放射体一例の斜視図。
【図４】操作盤の正面図。
【図５】バーナ及び遠赤外線放射体一部の側面図。
【図６】バーナの平面図。
【図７】制御ブロック図。
【図８】フローチャート。
【図９】フローチャート。
【図１０】フローチャート。
【図１１】フローチャート。
【図１２】フローチャート。
【図１３】燃料電池利用の乾燥機のブロック図。
【図１４】別例の燃料電池利用の乾燥機のブロック図。
【符号の説明】
【００５０】
１  穀物乾燥機の機枠
１３  バーナ
１５  送風ファン
２５  下部搬送装置
３１  上部搬送装置
４０ａ  コントロールボックス
４０  制御部
５３  水分センサ
５７  熱風温度センサ
５８  外気温度センサ
５９  送風・循環系モータ
６０  繰出バルブモータ
６１  不揮発性メモリ
６２  電流検出手段
【図１】
2006038407.tif 000003
【図２】
2006038407.tif 000004
【図３】
2006038407.tif 000005
【図４】
2006038407.tif 000006
【図５】
2006038407.tif 000007
【図６】
2006038407.tif 000008
【図７】
2006038407.tif 000009
【図８】
2006038407.tif 000010
【図９】
2006038407.tif 000011
【図１０】
2006038407.tif 000012
【図１１】
2006038407.tif 000013
【図１２】
2006038407.tif 000014
【図１３】
2006038407.tif 000015
【図１４】
2006038407.tif 000016